(57)【特許請求の範囲】
【請求項１】
被写体像を撮影する撮影部と、
前記撮影部の撮影条件に関する設定項目であって、第１設定項目の設定情報と、前記第１設定項目の設定情報に対して排他的に選択可能な第２設定項目の設定情報とを設定する設定操作部と、
前記第１設定項目の設定情報と前記第２設定項目の設定情報とを記憶する設定情報記憶部と、
前記第１設定項目と前記第２設定項目とに設定情報が設定された後、前記設定操作部の操作により前記第１設定項目の設定情報が変更された場合に、前記第２設定項目の設定情報を、変更後の前記第１設定項目の設定情報に応じた設定情報に変更する設定変更部と、
前記設定変更部により変更された前記第２設定項目に対して、前記設定操作部により特定の設定操作が行われたか否かを判定する判定部と、
前記判定部により前記特定の設定操作が行われたと判定された場合に、前記第１設定項目と第２設定項目との設定情報を、前記設定情報記憶部に記憶された変更前の設定情報に戻す設定復帰部とを備える撮影装置。
【請求項２】
前記第２設定項目を含む設定画面が表示される表示部を備え、
前記判定部は、前記表示部に前記設定画面が表示された場合に、前記特定の設定操作が行われた否かを判定する請求項１記載の撮影装置。
【請求項３】
前記表示部は、変更後の前記第２設定項目の設定情報を表示し、
前記判定部は、前記設定操作部により前記第２設定項目に対する設定操作が所定時間以上継続された場合、前記特定の設定操作が行われたと判定する請求項２記載の撮影装置。
【請求項４】
前記表示部は、変更後の前記第２設定項目の設定情報を、特殊表示形態で表示し、
前記判定部は、前記特殊表示形態で表示された前記第２設定項目の設定情報に対して設定操作が行われた場合、前記特定の設定操作が行われたと判定する請求項２または３記載の撮影装置。
【請求項５】
前記設定操作部による通常の設定操作とは異なる操作で用いる特殊操作部を有しており、
前記判定部は、前記表示部に前記設定画面が表示され、かつ前記特殊操作部による操作が行われた場合、前記特定の設定操作が行われたと判定する請求項２または３記載の撮影装置。
【請求項６】
前記設定画面は、複数の設定項目を表示する設定一覧画面である請求項２〜５のいずれか１項記載の撮影装置。
【請求項７】
前記設定画面は、前記第２設定項目の設定情報を含む設定確認画面である請求項２〜５のいずれか１項記載の撮影装置。
【請求項８】
前記設定画面は、複数の設定項目を表示する設定一覧画面と、前記第２設定項目の設定情報を含む設定確認画面であり、
前記判定部は、前記設定一覧画面と前記設定確認画面の表示とが交互に繰り返される繰り返し回数をカウントし、前記繰り返し回数が所定以上の場合、前記特定の設定操作が行われたと判定する請求項２記載の撮影装置。
【請求項９】
撮影部の撮影条件に関する設定項目であって、第１設定項目の設定情報と、前記第１設定項目の設定情報に対して排他的に選択可能な第２設定項目の設定情報とを設定するステップと、
前記第１設定項目の設定情報と前記第２設定項目の設定情報とを記憶するステップと、
前記第１設定項目と前記第２設定項目とに設定情報が設定された後、前記第１設定項目の設定情報が変更された場合に、前記第２設定項目の設定情報を、変更後の前記第１設定項目の設定情報に応じた設定情報に変更するステップと、
変更された前記第２設定項目に対して、特定の設定操作が行われたか否かを判定するステップと、
前記特定の設定操作が行われたと判定された場合に、前記第１設定項目と第２設定項目との設定情報を、記憶された変更前の設定情報に戻すステップとを含む撮影装置の制御方法。
【発明の詳細な説明】
【技術分野】
【０００１】
本発明は、撮影装置及びその制御方法に関する。
【背景技術】
【０００２】
デジタルカメラ等の撮影装置には、高品質な画像を撮影するために、様々な撮影条件を設定可能としているものがある。このような撮影装置では、複数の撮影条件において、同時に設定することができない、いわゆる排他的関係にある設定情報が存在することが一般的である。【０００３】
特許文献１記載の撮影装置は、ダイナミックレンジ拡大撮影機能と露出調節機能とを有している。この撮影装置では、露出調節機能に関する撮影条件として複数のシャッタスピード、複数の絞り値、およびＡＵＴＯ（自動設定）などの設定情報から設定可能であり、かつダイナミックレンジ拡大撮影機能に関する撮影条件としてオン／オフの設定情報から設定可能である。しかし、これらの設定情報は排他的関係にあり、シャッタスピード、絞り値のいずれか１つを選択した場合、ダイナミックレンジ拡大撮影機能をオンとすることができない。あるいは、ダイナミックレンジ拡大撮影機能をオンとした場合、露出調節機能をＡＵＴＯ以外に設定することができない。【０００４】
また、排他的関係にある設定情報としては、上記の他には、シャッタ方式の設定情報と、連写速度の設定情報とが上げられる。例えばシャッタ方式として、電子シャッタ、メカシャッタなどの設定情報から設定可能とし、連写速度として複数の設定値から設定可能とする。そして、電子シャッタよりも低速なメカシャッタを選択した場合、連写速度として高速な設定値を選択することができない。【０００５】
一方、近年では、ユーザーが操作に困惑している状態を検知する技術が知られている。特許文献２記載の情報処理装置では、ユーザーの動きや様子を検知した検知信号を解析し、当該ユーザーが操作を行っているときのユーザー操作状態を検出する。そして、検出したユーザー操作状態と、予め記憶された困惑状態情報とを照合し、ユーザーが操作に困惑しているか否かを判定する。
【先行技術文献】
【特許文献】
【０００６】
【特許文献１】特開２０１３−２１９４４０号公報
【特許文献２】特開２０１５−１５３３２５号公報
【発明の概要】
【発明が解決しようとする課題】
【０００７】
上述したように、排他的関係にある設定情報が存在する場合、ユーザーが意図しない設定情報に制限されていることがある。例えば、撮影装置の電子シャッタが、順次読み出し方式のローリングシャッタである場合、高速な連写撮影を行うと、被写体像が歪むローリングシャッタ現象が発生することがある。そこで、ユーザーが、シャッタ方式を電子シャッタからメカシャッタに変更した場合、上述したように、連写速度が低速な設定値に制限される。【０００８】
ユーザーは高速な連写撮影を行っているつもりが、連写速度が低速に制限されてしまっているため、操作に困惑してしまう。さらに、連写速度を高速に戻そうとしても、原因を特定することができず、撮影機会を逃してしまう可能性がある。【０００９】
上記特許文献１記載の撮影装置では、ユーザーの操作状態とは関係無く、排他的関係にある設定情報が設定された場合に警告を行う。なお、上記特許文献２記載の技術を上記特許文献１記載の撮影装置に適応し、ユーザーの困惑状態を検知した場合に、排他的関係にある設定情報が設定されていることを警告することが考えられる。しかし、この場合においても、設定に不慣れなユーザーは、どのように設定情報を変更すればよいのかを容易に特定することはできず、撮影機会を逃してしまう可能性がある。【００１０】
本発明は、ユーザーが操作に困惑している状態を判断し、困惑状態を容易に解消する撮影装置及びその制御方法を提供することを目的とする。
【課題を解決するための手段】
【００１１】
上記目的を達成するため、本発明の撮影装置は、撮影部と、設定操作部と、設定情報記憶部と、設定変更部と、判定部と、設定復帰部とを備えている。撮影部は、被写体像を撮影する。設定操作部は、撮影部の撮影条件に関する設定項目であって、第１設定項目の設定情報と、第１設定項目の設定情報に対して排他的に選択可能な第２設定項目の設定情報とを設定する。設定情報記憶部は、第１設定項目の設定情報と第２設定項目の設定情報とを記憶する。設定変更部は、第１設定項目と第２設定項目とに設定情報が設定された後、設定操作部の操作により第１設定項目の設定情報が変更された場合に、第２設定項目の設定情報を、変更後の第１設定項目の設定情報に応じた設定情報に変更する。判定部は、設定変更部により変更された第２設定項目に対して、設定操作部により特定の設定操作が行われたか否かを判定する。設定復帰部は、判定部により特定の設定操作が行われたと判定された場合に、第１設定項目と第２設定項目との設定情報を、設定情報記憶部に記憶された変更前の設定情報に戻す。【００１２】
第２設定項目を含む設定画面が表示される表示部を備え、判定部は、表示部に設定画面が表示された場合に、特定の設定操作が行われた否かを判定することが好ましい。【００１３】
表示部は、変更後の第２設定項目の設定情報を表示し、判定部は、設定操作部により第２設定項目に対する設定操作が所定時間以上継続された場合、特定の設定操作が行われたと判定することが好ましい。【００１４】
表示部は、変更後の第２設定項目の設定情報を、特殊表示形態で表示し、判定部は、特殊表示形態で表示された第２設定項目の設定情報に対して設定操作が行われた場合、特定の設定操作が行われたと判定することが好ましい。【００１５】
設定操作部による通常の設定操作とは異なる操作で用いる特殊操作部を有しており、判定部は、表示部に設定画面が表示され、かつ特殊操作部による操作が行われた場合、特定の設定操作が行われたと判定することが好ましい。【００１６】
設定画面は、複数の設定項目を表示する設定一覧画面であることが好ましい。または、設定画面は、第２設定項目の設定情報を含む設定確認画面であることが好ましい。【００１７】
設定画面は、複数の設定項目を表示する設定一覧画面と、第２設定項目の設定情報を含む設定確認画面であり、判定部は、設定一覧画面と設定確認画面の表示とが交互に繰り返される繰り返し回数をカウントし、繰り返し回数が所定以上の場合、特定の設定操作が行われたと判定することが好ましい。【００１８】
本発明の撮影装置の制御方法は、撮影部の撮影条件に関する設定項目であって、第１設定項目の設定情報と、第１設定項目の設定情報に対して排他的に選択可能な第２設定項目の設定情報とを設定するステップと、第１設定項目の設定情報と第２設定項目の設定情報とを記憶するステップと、第１設定項目と第２設定項目とに設定情報が設定された後、設定操作部の操作により第１設定項目の設定情報が変更された場合に、第２設定項目の設定情報を、変更後の第１設定項目の設定情報に応じた設定情報に変更するステップと、設定変更部により変更された第２設定項目に対して、設定操作部により特定の設定操作が行われたか否かを判定するステップと、判定部により特定の設定操作が行われたと判定された場合に、第１設定項目と第２設定項目との設定情報を、設定情報記憶部に記憶された変更前の設定情報に戻すステップとを含む。
【発明の効果】
【００１９】
本発明によれば、ユーザーが操作に困惑している状態を判断し、困惑状態を容易に解消することができる。
【図面の簡単な説明】
【００２０】
【図１】デジタルカメラの外観を正面側から示す斜視図である。
【図２】デジタルカメラの外観を背面側から示す斜視図である。
【図３】デジタルカメラの構成を示すブロック図である。
【図４】設定メニューの一例を示す設定画面の説明図である。
【図５】設定メニューで画質モードの設定項目を選択した場合の選択候補一覧を示す設定画面の説明図である。
【図６】設定メニューでシャッタ方式の設定項目を選択した場合の選択候補一覧を示す設定画面の説明図である。
【図７】設定メニューでフラッシュモードの設定項目を選択した場合の選択候補一覧を示す設定画面の説明図である。
【図８】設定メニューで撮影モードの設定項目を選択した場合の選択候補一覧を示す設定画面の説明図である。
【図９】設定メニューでＩＳＯ感度の設定項目を選択した場合の選択候補一覧を示す設定画面の説明図である。
【図１０】設定メニューでダイナミックレンジ設定の設定項目を選択した場合の選択候補一覧を示す設定画面の説明図である。
【図１１Ａ】ＩＳＯ感度の設定情報が変更される前の設定画面の一例を示す説明図である。
【図１１Ｂ】ＩＳＯ感度の設定情報が変更されるとともに、ダイナミックレンジ設定の設定情報をＩＳＯ感度の設定情報に応じた設定情報に変更した場合の設定画面の一例を示す説明図である。
【図１２】変更前および変更後におけるＩＳＯ感度の設定情報と、ダイナミックレンジ設定の設定情報とを設定情報記憶部に記憶させることを説明する説明図である。
【図１３】特定の設定操作について説明する説明図である。
【図１４】撮影条件の設定情報を変更する際の処理を説明するフローチャートである。
【図１５】困惑状態を検出し、変更前の設定情報に戻す処理を説明するフローチャートである。
【図１６Ａ】第２実施形態における撮影モードの設定情報が変更される前の設定画面の一例を示す説明図である。
【図１６Ｂ】撮影モードの設定情報が変更されるとともに、フラッシュモードの設定情報を撮影モードの設定情報に応じた設定情報に変更した場合の設定画面の一例を示す説明図である。
【図１７】第３実施形態におけるブラケット撮影モードの設定項目を選択した場合の選択候補一覧を示す設定画面の説明図である。
【図１８Ａ】第３実施形態におけるブラケット撮影モードの設定情報が変更される前の設定画面の一例を示す説明図である。
【図１８Ｂ】ブラケット撮影モードの設定情報が変更されるとともに、画質モードの設定情報をブラケット撮影モードの設定情報に応じた設定情報に変更した場合の設定画面の一例を示す説明図である。
【図１９】第４実施形態における連写速度の設定項目を選択した場合の選択候補一覧を示す設定画面の説明図である。
【図２０Ａ】第４実施形態におけるシャッタ方式の設定情報が変更される前の設定画面の一例を示す説明図である。
【図２０Ｂ】シャッタ方式の設定情報が変更されるとともに、連写速度の設定情報をシャッタ方式の設定情報に応じた設定情報に変更した場合の設定画面の一例を示す説明図である。
【図２１】設定メニューの設定画面と選択候補一覧の設定画面とが交互に繰り返される特定の設定操作の一例を示す説明図である。
【発明を実施するための形態】
【００２１】
［第１実施形態］
図１および図２において、デジタルカメラ１１は、カメラ本体１２、レンズ鏡筒１３、背面表示部１４、及びファインダ部１５を備える。
【００２２】
レンズ鏡筒１３は、カメラ本体１２の前面に設けられており、撮像光学系１６を保持している。レンズ鏡筒１３の外周には、フォーカスリング１７及び絞りリング１８を回転自在に設けられている。フォーカスリング１７及び絞りリング１８は、撮影者が手動で回転操作することにより、撮像光学系１６のフォーカス調節及び絞り調節をそれぞれ可能とする。
【００２３】
背面表示部１４は、カメラ本体１２の背面に設けられており、ライブビュー画像の表示、撮影済み画像の再生、および設定メニューの表示などに用いられる。背面表示部１４は、例えばＬＣＤパネルで構成されている。この背面表示部１４の表面には、タッチパネル２７（図３参照）が取り付けられており、タッチパネル２７からの入力指示は、主制御部４１に送信される。
【００２４】
カメラ本体１２の上面には、電源レバー１９、レリーズスイッチ２０、露出補正ダイヤル２１、シャッタスピードダイヤル２２等が設けられている。カメラ本体１２の前面には、ファインダ切替レバー２３、フラッシュ発光部２４等が設けられている。カメラ本体１２の背面には、複数の操作ボタン２６が設けられている。複数の操作ボタン２６は、各種設定操作などに用いられる。
【００２５】
電源レバー１９は、デジタルカメラ１１の電源（図示せず）をオン／オフする際に操作される。レリーズスイッチ２０は、撮影を実行する際に操作される。シャッタスピードダイヤル２２は、デジタルカメラ１１のシャッタ速度を切り替える際に操作される。
【００２６】
レリーズスイッチ２０は、Ｓ１スイッチとＳ２スイッチとで構成された２段ストローク式のスイッチ（図示せず）を有する。デジタルカメラ１１は、レリーズスイッチ２０が押下（半押し）され、Ｓ１スイッチがオン状態となると、自動露出調節等の撮影準備動作を行う。この状態からさらにレリーズスイッチ２０が押下（全押し）され、Ｓ２スイッチがオン状態となると、撮影動作が行われる。
【００２７】
また、カメラ本体１２の底部には、後述する記録メディア５１（図３参照）を装着するためのスロット（図示せず）と、このスロットの開口を開閉する装填蓋（図示せず）とが設けられている。
【００２８】
ファインダ部１５は、光学ビューファインダ（以下、ＯＶＦという）モードと、電子ビューファインダ（以下、ＥＶＦという）モードとの切り替えが可能なハイブリッド型である。ファインダ切替レバー２３は、ファインダ部１５を、ＯＶＦモードとＥＶＦモードとの間で切り替える際に操作される。
【００２９】
ファインダ部１５は、被写体の光学像を取り込むファインダ対物窓１５ａと、撮影者の眼が接眼されるファインダ接眼部１５ｂとを有している。ファインダ対物窓１５ａは、カメラ本体１２の前面側に設けられている。ファインダ接眼部１５ｂは、カメラ本体１２の背面側に設けられている。
【００３０】
ファインダ部１５は、ファインダ内表示部２８（図３参照）と、ハーフミラー（図示せず）などを備えている。ファインダ内表示部２８は、被写体の光学像を撮像素子３４で撮像して得られた被写体の画像を表示する。ファインダ対物窓１５ａには、被写体の光学像が入射する。ハーフミラーは、ファインダ対物窓１５ａに入射した光学像を一部透過させてファインダ接眼部１５ｂに導き、ファインダ内表示部２８が表示した表示画像を一部反射させてファインダ接眼部１５ｂに導く。
【００３１】
また、ファインダ部１５は、ファインダ対物窓１５ａに入射する光学像を遮蔽するシャッタ（以下、ＯＶＦシャッタという）を有している。ＯＶＦモードでは、ＯＶＦシャッタを開状態とし、ファインダ内表示部２８を非表示とさせることで、光学像をファインダ接眼部１５ｂに導く。ＥＶＦモードでは、ＯＶＦシャッタを閉状態とし、ファインダ内表示部２８を表示とさせることで、表示画像をファインダ接眼部１５ｂに導く。
【００３２】
図３において、撮像光学系１６は、フォーカスレンズ３１を含む複数のレンズ、絞りユニット３２などを備える。撮像光学系１６の背後には、撮像光学系１６の光軸ＬＡに沿って、シャッタユニット３３、撮像素子３４が配される。撮像素子３４は、カメラ本体１２の内部に設けられている。
【００３３】
フォーカスレンズ３１は、モータ３６の駆動により光軸ＬＡの方向に移動し、撮影距離を調節する。主制御部４１は、図示しない検出部の信号に基づき検出したフォーカスリング１７の回転方向及び回転量に応じてフォーカスレンズ３１を移動させる制御信号をモータドライバ３９に送信する。モータドライバ３９は、制御信号に基づいてモータ３６を駆動させる。
【００３４】
絞りユニット３２は、モータ３７の駆動により複数枚の絞り羽根３２ａを移動させ、撮像素子３４への入射光量を変化させる。撮像素子３４には、撮像光学系１６を通過し、絞り３０により光量が調整された被写体の光学像が入射する。主制御部４１は、図示しない検出部の信号に基づき検出した絞りリング１８の角度位置に応じて絞り羽根３２ａを移動させる制御信号をモータドライバ３９に送信する。モータドライバ３９は、制御信号に基づいてモータ３７を駆動させる。
【００３５】
シャッタユニット３３は、フォーカルプレーンシャッタなどのメカシャッタであり、絞りユニット３２と撮像素子３４との間に配置されている。シャッタユニット３３は、撮像光学系１６と撮像素子３４との間の光路を遮断可能に設けられており、開口状態と閉口状態との間で変化する。
【００３６】
シャッタユニット３３は、ライブビュー画像および動画撮影時に開口状態とされる。シャッタユニット３３は、静止画撮影時には、開口状態から一時的に閉口状態になる。このシャッタユニット３３は、モータ３８により駆動される。主制御部４１は、後述するシャッタ方式の設定情報に応じてシャッタユニット３３を動作させる制御信号をモータドライバ３９に送信する。モータドライバ３９は、制御信号に基づいてモータ３８を駆動させる。
【００３７】
撮像素子３４は、主制御部４１により駆動制御される。撮像素子３４は、シャッタユニット３３、デジタル信号処理部４５などとともに撮影部を構成する。また、フラッシュ発光部２４を用いるフラッシュ撮影の場合は、フラッシュ発光部２４も撮影部を構成する。撮像素子３４は、例えば、ＲＧＢ方式のカラーフィルタを有する単板カラー撮像方式のＣＭＯＳ型イメージセンサである。撮像素子３４は、２次元マトリクス状に配列された複数の画素（図示せず）により構成された受光面を有している。各画素は、光電変換素子を含んでおり、撮像光学系１６により受光面に結像された被写体像を光電変換により撮像して撮像信号を生成する。また、撮像素子３４は、電子シャッタ機能を有しており、シャッタ速度（電荷蓄積時間）が調整可能である。
【００３８】
撮像素子３４は、ノイズ除去回路、オートゲインコントローラ、Ａ／Ｄ変換回路等の信号処理回路（いずれも図示せず）を備える。ノイズ除去回路は、撮像信号にノイズ除去処理を施す。オートゲインコントローラは、撮像信号のレベルを最適な値に増幅する。Ａ／Ｄ変換回路は、撮像信号をデジタル信号に変換して撮像素子３４から出力する。撮像素子３４の出力信号は、各画素ごとに１つの画素値を有する画像データ（いわゆるＲＡＷデータ）である。
【００３９】
撮像素子３４及び主制御部４１は、バス４２に接続されている。この他、バス４２には、メモリ制御部４４、デジタル信号処理部４５、メディア制御部４６、表示制御部４７、設定情報記憶部４８、およびタッチパネル２７が接続されている。
【００４０】
メモリ制御部４４には、ＳＤＲＡＭ（Synchronous Dynamic Random Access Memory）等の一時記憶用のメモリ４９が接続されている。メモリ制御部４４は、撮像素子３４から出力された画像データをメモリ４９に入力して記憶させる。また、メモリ制御部４４は、メモリ４９に記憶された画像データを、デジタル信号処理部４５に出力する。
【００４１】
デジタル信号処理部４５は、メモリ４９から入力された画像データに対して、マトリクス演算、デモザイク処理、γ補正、輝度・色差変換、リサイズ処理などの公知の画像処理を施し、各画素の画素値に基づいて、被写体画像を生成する。
【００４２】
メディア制御部４６は、記録メディア５１への画像ファイルの記録及び読み出しを制御する。記録メディア５１は、例えば、フラッシュメモリを内蔵したメモリカードである。メディア制御部４６は、デジタル信号処理部４５によって圧縮された画像データを記録メディア５１に記録する。
【００４３】
表示制御部４７は、背面表示部１４およびファインダ内表示部２８への画像表示を制御する。具体的には、表示制御部４７は、デジタル信号処理部４５により生成された画像データに基づいて、ＮＴＳＣ（National Television System Committee）規格等に準拠した映像信号を生成して背面表示部１４およびファインダ内表示部２８に出力する。
【００４４】
操作ボタン２６の操作により設定モードが選択された場合、主制御部４１は、表示制御部４７を駆動制御して背面表示部１４に設定メニューを表示させる。この設定メニューは、デジタルカメラ１１の撮影部の撮影条件に関する設定項目を設定可能とする。設定メニューには、複数の設定項目が表示される。
【００４５】
設定モードが選択された場合、操作ボタン２６およびタッチパネル２７は、撮影部の撮影条件に関する設定情報を設定する設定操作部として機能する。主制御部４１は、操作ボタン２６またはタッチパネル２７により設定情報が設定または変更された場合、設定情報記憶部４８に記憶させる。設定情報記憶部４８は、不揮発性メモリにより構成される。
【００４６】
図４は、背面表示部１４に表示される設定メニューの一例である。この設定メニューＭでは、画質モード、シャッタ方式、フラッシュモード、撮影モード、ＩＳＯ感度、ダイナミックレンジ設定などの複数の設定項目が表示される。なお、設定メニューＭは、例えば複数ページから構成され、各ページに複数の設定項目が表示される。また、この場合、操作ボタン２６またはタッチパネル２７により設定メニューＭのページを切り換えることができる。この設定メニューＭが表示される設定画面は、特許請求の範囲における設定一覧画面に相当する。また、後述する図４〜図１０、図１１Ａ、図１１Ｂ、図１６Ａ、図１６Ｂ、図１７、図１８Ａ、図１８Ｂ、図１９、図２１Ａ、および図２１Ｂに示す各設定項目の選択候補一覧が表示される設定画面は、特許請求の範囲における設定確認画面に相当する。
【００４７】
ユーザーが設定メニューＭに基づき、撮影条件に関する設定項目を設定する場合、例えば、操作ボタン２６を操作することにより複数の設定項目から、１つの設定項目を選択する。
【００４８】
画質モードの設定項目が選択された場合、図５に示すように、「ＦＩＮＥ」、「ＮＯＲＭＡＬ」、「ＦＩＮＥ＋ＲＡＷ」、「ＮＯＲＭＡＬ＋ＲＡＷ」、「ＲＡＷ」などの選択候補からなる画質モードの選択候補一覧が表示される。操作ボタン２６またはタッチパネル２７を操作することにより、この選択候補一覧から画質モードの設定情報が選択される。この選択候補一覧において、「ＦＩＮＥ」は、「ＮＯＲＭＡＬ」よりもデータの圧縮率が低い画像を取得する高画質のモードである。「ＲＡＷ」は、データを圧縮せずに画像を記録するため、ＦＩＮＥよりもさらに高画質のモードである。また、「ＦＩＮＥ＋ＲＡＷ」は、ＦＩＮＥとＲＡＷの両方の画像を取得し、「ＮＯＲＭＡＬ＋ＲＡＷ」は、ＮＯＲＭＡＬとＲＡＷの両方の画像を記録するモードである。
【００４９】
また、シャッタ方式の設定項目が選択された場合、図６に示すように、「ＭＳ」、「ＥＳ」、「ＭＳ＋ＥＳ」などの選択候補からなるシャッタ方式の選択候補一覧が表示される。操作ボタン２６またはタッチパネル２７を操作することにより、この選択候補一覧からシャッタ方式の設定情報が選択される。選択候補一覧から、「ＭＳ」を選択するとシャッタユニット３３によるメカシャッタで撮影を行うことができ、「ＥＳ」を選択すると、電子シャッタで撮影を行うことができる。また、「ＭＳ＋ＥＳ」を選択すると、メカシャッタと電子シャッタのうち、例えば、シャッタスピードに適した一方が自動的に選択された状態で撮影を行うことができる。
【００５０】
フラッシュモードの設定項目が選択された場合、図７に示すように、「ＡＵＴＯ」、「強制発光」、「スローシンクロ」、「後幕シンクロ」、「発光禁止」などのフラッシュモードの選択候補一覧が表示される。操作ボタン２６またはタッチパネル２７を操作することにより、この選択候補一覧からフラッシュモードの設定情報が選択される。
【００５１】
選択候補一覧から「ＡＵＴＯ」を選択すると、図示しない測光センサにより被写体が暗いと判断した場合にフラッシュ発光部２４が自動的に発光する。一方、「強制発光」を選択すると、周囲の明るさに関わらず、強制的にフラッシュ発光部２４が発光する。また、「スローシンクロ」を選択すると、シャッタスピードを遅く、且つシャッタにフラッシュ発光部２４を同期させて発光する。「後幕シンクロ」を選択すると、シャッタが閉じる直前にフラッシュ発光部２４を発光させる。また、「発光禁止」が選択された場合、周囲の明るさに関わらず、フラッシュ発光部２４を発光させない。
【００５２】
撮影モードの設定項目が選択された場合、図８に示すように、「１コマ撮影」、「連写撮影」、「ブラケット撮影」などの撮影モードの選択候補一覧が表示される。操作ボタン２６またはタッチパネル２７を操作することにより、この選択候補一覧から撮影モードの設定情報が選択される。
【００５３】
選択候補一覧から「１コマ撮影」を選択すると、レリーズスイッチ２０を１回全押しする毎に、１フレーム分の撮影および記録が行われる。「連写撮影」を選択すると、レリーズスイッチ２０を全押しし続けている間、連写速度に応じたフレーム数で連続して撮影が行われ、撮影された複数フレーム分の画像が記録される。「ブラケット撮影」を選択すると、レリーズスイッチ２０を１回全押しする毎に、例えば露出値などの設定値を変えながら、複数フレーム分の撮影が行われ、撮影された複数フレーム分の画像が記録される。
【００５４】
ＩＳＯ感度の設定項目が選択された場合、図９に示すように、「ＡＵＴＯ」、「２００」、「２５０」、「３２０」、「４００」、「８００」、「１６００」、「３２００」、「６４００」、「１２８００」、「２５６００」などのＩＳＯ感度の選択候補一覧が表示される。操作ボタン２６またはタッチパネル２７を操作することにより、この選択候補一覧からＩＳＯ感度の設定情報が選択される。
【００５５】
選択候補一覧から「ＡＵＴＯ」を選択すると、所定のＩＳＯ感度以下の範囲内で撮像素子３４の感度が自動的に調節される。「ＡＵＴＯ」を除く、「２００」〜「２５６００」の数値を選択すると、選択した数値に合わせて撮像素子３４の感度が調節される。
【００５６】
ダイナミックレンジ設定の設定項目が選択された場合、図１０に示すように、「ＡＵＴＯ」、「１００」、「２００」、「４００」などのダイナミックレンジ設定の選択候補一覧が表示される。操作ボタン２６またはタッチパネル２７を操作することにより、この選択候補一覧からダイナミックレンジ設定の設定情報が選択される。
【００５７】
選択候補一覧から「ＡＵＴＯ」を選択すると、撮像素子３４のサイズに応じた基準のダイナミックレンジの画像を取得する撮影と、基準のダイナミックレンジよりも拡大したダイナミックレンジの画像を取得する撮影のいずれかを、被写体の明るさなどに応じて自動的に選択して撮影が行われる。なお、拡大したダイナミックレンジの画像を取得する方法としては、例えば特開２０１３−３１２０５号公報などに記載されているように、異なる露光条件で撮像を行なって、高輝度側の情報量が多い画像と低輝度側の情報量が多い画像等、輝度毎の情報量が異なる複数枚の画像データを取得してこれらを合成することにより、高輝度から低輝度まで広い範囲で良好な再現性を有するダイナミックレンジ拡大画像データを取得する。
【００５８】
また、選択候補一覧から「１００」を選択すると、撮像素子３４の基準のダイナミックレンジ、すなわち１００％のダイナミックレンジの画像を取得する撮影が行われる。「２００」を選択すると、撮像素子３４の基準のダイナミックレンジの２００％に拡大したダイナミックレンジの画像を取得する撮影が行われる。また、「４００」を選択すると、撮像素子３４の基準のダイナミックレンジの４００％に拡大したダイナミックレンジの画像を取得する撮影が行われる。
【００５９】
撮影部の撮影条件に関する複数の設定項目のなかには、第１設定項目の設定情報に対して排他的に選択可能な第２設定項目の設定情報がある場合がある。なお、排他的に選択可能とは、第１設定項目において１つの設定情報を選択した場合に、第２設定項目で選択可能な設定情報が制限されることをいう。
【００６０】
このような排他的関係にある設定情報としては、上述したＩＳＯ感度の設定情報と、ダイナミックレンジ設定の設定情報とが該当する。ＩＳＯ感度と、ダイナミックレンジ設定とは、特許請求の範囲における第１設定項目と、第２設定項目とにそれぞれ相当する。
【００６１】
より具体的には、ＩＳＯ感度の設定情報として「２００」、「２５０」、「３２０」のいずれか１つが選択された場合、ダイナミックレンジ設定では、設定情報として「１００」だけが選択可能であり、「ＡＵＴＯ」、「２００」、「４００」のいずれも選択不可能である。これは、ＩＳＯ感度が「２００」、「２５０」、「３２０」という低感度に設定されていることから、撮影部では、高輝度から低輝度まで広い範囲の情報量の画像を得ることができない、すなわち、拡大したダイナミックレンジの画像を取得することが不可能なためである。
【００６２】
図１１Ａは、ＩＳＯ感度と、ダイナミックレンジ設定とに設定情報が設定された後、すなわち設定済みの状態であり、ＩＳＯ感度が「１６００」、ダイナミックレンジ設定が「４００」に設定されている（二重枠線で囲まれた表示）。
【００６３】
主制御部４１は、図１１Ａに示すＩＳＯ感度の設定情報と、ダイナミックレンジ設定の設定情報とが設定済みの状態から、操作ボタン２６またはタッチパネル２７の操作によりＩＳＯ感度の設定情報が、例えば「２００」に変更された場合、上述したようにＩＳＯ感度が「２００」に対して排他的に選択可能なダイナミックレンジ設定の設定情報があり、「ＡＵＴＯ」、「２００」、「４００」のいずれも選択不可能である。よって、この場合、図１１Ｂに示す例のように、主制御部４１は、ダイナミックレンジ設定の設定情報をＩＳＯ感度が「２００」に応じた設定情報、すなわちダイナミックレンジ設定の設定情報を「１００」に変更する設定変更部として機能する。図１１Ｂに示す設定画面では、ダイナミックレンジ設定の設定情報の選択が不可能となっている。
【００６４】
設定変更部として機能した主制御部４１が、ダイナミックレンジ設定の設定情報を、ＩＳＯ感度の設定情報に応じた設定情報に変更した場合、図１２に示す例のように、変更前および変更後におけるＩＳＯ感度の設定情報と、ダイナミックレンジ設定の設定情報とを、設定情報記憶部４８に記憶させる。
【００６５】
また、主制御部４１は、ダイナミックレンジ設定の設定情報を、ＩＳＯ感度の設定情報に応じた設定情報に変更した場合、図１３に示すように、設定メニューＭ内に表示されるダイナミックレンジ設定の設定項目および設定情報を特殊表示形態（網掛け表示された部分）で表示させる。なお、図１３に示す例では、図示の都合上、特殊表示形態で表示されたダイナミックレンジ設定の設定項目および設定情報を網掛け表示で表しているが、これに限るものではなく、ダイナミックレンジ設定の設定項目および設定情報を、他の設定項目および設定情報とは異なる色、例えばグレーで表示してもよい。
【００６６】
一方、ＩＳＯ感度の設定情報と、ダイナミックレンジ設定の設定情報とが設定済みの状態から、ＩＳＯ感度の設定情報が、例えば「２５６００」に変更された場合、この「２５６００」に対して排他的に選択可能なダイナミックレンジ設定の設定情報は無く、「ＡＵＴＯ」、「１００」、「２００」、「４００」のいずれも選択可能である。よって、主制御部４１は、ダイナミックレンジ設定の設定情報を変更しない。この場合、主制御部４１は、変更後のＩＳＯ感度の設定情報のみを設定情報記憶部４８に記憶させる。
【００６７】
上述したように、第１設定項目の設定情報に対して排他的に選択可能な第２設定項目の設定情報がある場合、主制御部４１は、第２設定項目の設定情報を、第１設定項目に応じた設定情報に変更しているため、第２設定項目において、ユーザーが所望していない設定情報に変更されていることがある。
【００６８】
設定変更部として機能した主制御部４１によりユーザーが所望していない設定情報に変更されている場合、ユーザーは何故このような設定情報に変更されたのかわからず、困惑状態となる可能性が高い。困惑状態とは、どのように操作してよいのかわからない、操作がうろ覚え、あるいは、間違った操作を行うなど、操作がうまくいかず困っている状態をいう。
【００６９】
そこで、主制御部４１では、操作ボタン２６またはタッチパネル２７の操作を監視し、主制御部４１により変更された第２設定項目に対して、操作ボタン２６またはタッチパネル２７により特定の設定操作が行われたか否かを判定する判定部として機能する。特定の設定操作とは、ユーザーが困惑状態にある際、行う可能性の高い設定操作である。
【００７０】
本実施形態では、主制御部４１は、長押し操作がされた場合、特定の設定操作が行われたと判定する。長押し操作とは、背面表示部１４に、変更後の第２設定項目の設定情報が表示され、かつ操作ボタン２６またはタッチパネル２７により第２設定項目に対する設定操作が所定時間以上継続された状態のことをいう。
【００７１】
図１３に示す例のように、主制御部４１は、ダイナミックレンジ設定の設定情報をＩＳＯ感度の設定情報に応じた設定情報に変更し、かつ設定メニューＭの設定画面が背面表示部１４に表示されている場合、長押し操作が行われたか否かを判定する。そして、上述したように特殊表示形態で表示されているダイナミックレンジ設定の設定項目および設定情報に対して、タッチパネル２７により所定時間以上継続してタッチ操作が行われた場合、特定の設定操作が行われたと判定する。なお、長押し操作ではなく、所定時間未満のタッチ操作の場合は、上述したように、ダイナミックレンジ設定の選択候補一覧が表示される設定確認画面に切り換わるようにしてもよい。
【００７２】
さらに、主制御部４１により特定の設定操作が行われたと判定された場合に、主制御部４１は、第１設定項目と第２設定項目との設定情報を、変更前の設定情報に戻す設定復帰部として機能する。図１２に示す例では、変更前の設定情報として、ＩＳＯ感度が「１６００」、ダイナミックレンジ設定が「４００」という設定情報が設定情報記憶部４８に記憶されており、主制御部４１は、これらの設定情報を読み出し、撮影部の撮影条件に関する設定情報を変更前に戻す。また、主制御部４１は、設定情報を変更前に戻すとともに、背面表示部１４に表示される設定メニューＭも変更前に戻す（図４に示す状態）。
【００７３】
デジタルカメラ１１において、撮影条件に関する設定情報を変更する処理手順について、図１４に示すフローチャートに沿って説明する。
【００７４】
デジタルカメラ１１の設定モード下で、主制御部４１は設定情報記憶部４８から各設定項目の設定情報を読み出す（Ｓ１１）。主制御部４１は、読み出された各設定項目の設定情報から、第１設定項目と第２設定項目とを含む各設定項目の設定情報が設定済みが否かを判定する（Ｓ１２）。各設定項目の設定情報が設定済みではない場合（Ｓ１２でＮ）は、例えば、設定操作を促す警告を行う。これにより第１設定項目と第２設定項目とに設定情報を設定させる。あるいは、デジタルカメラ１１の工場出荷時点で全ての設定項目について設定情報を初期設定済みとしていてもよい。
【００７５】
各設定項目の設定情報が設定済みの場合（Ｓ１２でＹ）、主制御部４１は、背面表示部１４に設定メニューＭの設定画面を表示させる（Ｓ１３）。次に、設定メニューＭに基づき、設定情報の変更を行う際、ＩＳＯ感度（第１設定項目）の設定情報を変更するか否かを判定する（Ｓ１４）。
【００７６】
そして、操作ボタン２６またはタッチパネル２７の操作によりＩＳＯ感度の設定情報が変更された場合（Ｓ１４でＹ）、主制御部４１は、ＩＳＯ感度の設定情報に対して排他的に選択可能なダイナミックレンジ設定（第２設定項目）の設定情報があるか否かを判定する（Ｓ１５）。
【００７７】
図１１Ｂに示す例のように、ＩＳＯ感度の設定情報に対して排他的に選択可能なダイナミックレンジ設定の設定情報がある場合（Ｓ１５でＹ）、主制御部４１は、ダイナミックレンジ設定の設定情報をＩＳＯ感度の設定情報に応じた設定情報に変更する（Ｓ１６）。さらに主制御部４１は、図１２に示す例のように、変更前および変更後におけるＩＳＯ感度の設定情報と、ダイナミックレンジ設定の設定情報とを、設定情報記憶部４８に記憶させる（Ｓ１７）。
【００７８】
一方、ＩＳＯ感度の設定情報に対して排他的に選択可能なダイナミックレンジ設定の設定情報が無い場合（Ｓ１５でＮ）、主制御部４１は、ダイナミックレンジ設定の設定情報を変更せず、変更後のＩＳＯ感度の設定情報のみを設定情報記憶部４８に記憶させる（Ｓ１８）。
【００７９】
次に、デジタルカメラ１１において、ユーザーが困惑状態の場合、第１設定項目と第２設定項目との設定情報を変更前に戻す処理手順について、図１５に示すフローチャートに沿って説明する。
【００８０】
デジタルカメラ１１の設定モード下で、主制御部４１は背面表示部１４に設定メニューＭの設定画面を表示し、主制御部４１により変更されたダイナミックレンジ設定に対して（図１３に示す状態）、特定の設定操作が行われたか否かを判定する（Ｓ２１）。
【００８１】
主制御部４１により変更されたダイナミックレンジ設定に対して長押し操作などの特定の設定操作が行われた場合（Ｓ２１でＹ）、主制御部４１は、ユーザーが操作に困惑している状態であると判断し、設定情報記憶部４８に記憶された変更前のＩＳＯ感度とダイナミックレンジ設定との設定情報を読み出す（Ｓ２２）。さらに、主制御部４１は、読み出された変更前のＩＳＯ感度とダイナミックレンジ設定との設定情報に基づき、撮影部の撮影条件に関する設定情報を変更前に戻す。すなわち、ユーザーの困惑状態の原因となっていた設定情報が変更前の設定情報に戻ることになる。
【００８２】
以上のように、本実施形態では、第１設定項目の設定情報と、第１設定項目の設定情報に対して排他的に選択可能な第２設定項目の設定情報とを記憶し、ユーザーが困惑状態にある際、行う可能性の高い特定の設定操作が行われたと判定された場合に、第１設定項目と第２設定項目との設定情報を、変更前の設定情報に戻しているので、ユーザーの困惑状態を判断し、困惑状態の原因となっていた設定情報を変更前に戻すことができる。これにより、困惑状態を容易に解消することができる。
【００８３】
［第２実施形態］
上記第１実施形態では、特許請求の範囲における第１設定項目と、第２設定項目として、ＩＳＯ感度と、ダイナミックレンジ設定とを例に上げているが、これに限るものではなく、以下で説明する第２実施形態では、第１設定項目と、第２設定項目として、撮影モードと、フラッシュモードとを例に上げる。すなわち、撮影モードの設定情報に対して排他的に選択可能なフラッシュモードの設定情報がある。
【００８４】
具体的には、撮影モードの設定情報として連写撮影が選択された場合、フラッシュモードでは、設定情報として発光禁止だけが選択可能であり、「ＡＵＴＯ」、「強制発光」、「スローシンクロ」、「後幕シンクロ」のいずれも選択不可能である。これは、撮影モードが連写撮影に設定されていることから、撮像素子３４による１フレーム分の電荷蓄積時間が短く、フラッシュ発光部２４の発光が間に合わない、すなわち、フラッシュ撮影を行うことが不可能なためである。
【００８５】
図１６Ａは、撮影モードと、フラッシュモードとに設定情報が設定された後、すなわち設定済みの状態であり、撮影モードが「１コマ撮影」、フラッシュモードが「ＡＵＴＯ」に設定されている（二重枠線で囲まれた表示）。
【００８６】
主制御部４１は、図１６Ａに示す撮影モードの設定情報と、フラッシュモードの設定情報とが設定済みの状態から、操作ボタン２６またはタッチパネル２７の操作により撮影モードの設定情報が、「連写撮影」に変更された場合、上述したように連写撮影に対して排他的に選択可能なフラッシュモードの設定情報があり、「ＡＵＴＯ」、「強制発光」、「スローシンクロ」、「後幕シンクロ」のいずれも選択不可能である。よって、この場合、図１６Ｂに示す例のように、主制御部４１は、フラッシュモードの設定情報を連写撮影に応じた設定情報、すなわちフラッシュモードの設定情報を「発光禁止」に変更する設定変更部として機能する。
【００８７】
設定変更部として機能した主制御部４１が、フラッシュモードの設定情報を、撮影モードの設定情報に応じた設定情報に変更した場合、上記第１実施形態と同様に、変更前および変更後における撮影モードの設定情報と、フラッシュモードの設定情報とを、設定情報記憶部４８に記憶させる。
【００８８】
さらに、主制御部４１は、フラッシュモードの設定情報を撮影モードの設定情報に応じた設定情報に変更し、かつ設定メニューＭの設定画面が背面表示部１４に表示されている場合、上記第１実施形態と同様に、特定の設定操作が行われたか否かを判定する。特定の設定操作が行われた場合に、主制御部４１は、撮影モードの設定情報と、フラッシュモードの設定情報とを、変更前の設定情報に戻す（図１６Ａに示す状態）。
【００８９】
［第３実施形態］
以下で説明する第３実施形態では、特許請求の範囲における第１設定項目と、第２設定項目として、ブラケット撮影モードと、画質モードとを例に上げる。すなわち、ブラケット撮影モードの設定情報に対して排他的に選択可能な画質モードの設定情報がある。なお、ブラケット撮影モードを設定する場合、例えば、上述した撮影モードの設定情報（図８参照）からブラケット撮影を選択する。
【００９０】
ブラケット撮影が選択された場合、図１７に示すように、「露出値」、「ＩＳＯ感度」、「フィルター」、「ホワイトバランス」、「ダイナミックレンジ」などの選択候補からなるブラケット撮影モードの選択候補一覧が表示される。操作ボタン２６またはタッチパネル２７を操作することにより、この選択候補一覧からブラケット撮影モードの設定情報が選択される。これにより、露出値、ＩＳＯ感度、フィルター、ホワイトバランス、ダイナミックレンジのいずれか１つの設定値を変えながら、ブラケット撮影が行われる。
【００９１】
ブラケット撮影モードの設定情報として「ホワイトバランス」が選択された場合、画質モードでは、設定情報として「ＦＩＮＥ」だけが選択可能であり、「ＮＯＲＭＡＬ」、「ＦＩＮＥ+ＲＡＷ」、「ＮＯＲＭＡＬ+ＲＡＷ」、「ＲＡＷ」のいずれも選択不可能である。図１８Ａは、ブラケット撮影モードと、画質モードとに設定情報が設定された後、すなわち設定済みの状態であり、ブラケット撮影モードが「露出値」、画質モードが「ＲＡＷ」に設定されている（二重枠線で囲まれた表示）。
【００９２】
主制御部４１は、図１８Ａに示すブラケット撮影モードの設定情報と、画質モードの設定情報とが設定済みの状態から、操作ボタン２６またはタッチパネル２７の操作によりブラケット撮影モードの設定情報が、「ホワイトバランス」に変更された場合、上述したように「ホワイトバランス」に対して排他的に選択可能な画質モードの設定情報があり、「ＮＯＲＭＡＬ」、「ＦＩＮＥ+ＲＡＷ」、「ＮＯＲＭＡＬ+ＲＡＷ」、「ＲＡＷ」のいずれも選択不可能である。よって、この場合、図１８Ｂに示す例のように、主制御部４１は、画質モードの設定情報を「ホワイトバランス」に応じた設定情報、すなわち画質モードの設定情報を「ＦＩＮＥ」に変更する設定変更部として機能する。
【００９３】
設定変更部として機能した主制御部４１が、画質モードの設定情報を、ブラケット撮影モードの設定情報に応じた設定情報に変更した場合、上記第１実施形態と同様に、変更前および変更後におけるブラケット撮影モードの設定情報と、画質モードの設定情報とを、設定情報記憶部４８に記憶させる。
【００９４】
さらに、主制御部４１は、画質モードの設定情報をブラケット撮影モードの設定情報に応じた設定情報に変更し、かつ設定メニューＭの設定画面が背面表示部１４に表示されている場合、上記第１実施形態と同様に、特定の設定操作が行われたか否かを判定する。特定の設定操作が行われた場合に、主制御部４１は、ブラケット撮影モードの設定情報と、画質モードの設定情報とを、変更前の設定情報に戻す（図１８Ａに示す状態）。
【００９５】
［第４実施形態］
以下で説明する第４実施形態では、特許請求の範囲における第１設定項目と、第２設定項目としては、シャッタ方式と、連写速度とを例に上げる。すなわち、シャッタ方式の設定情報に対して排他的に選択可能な連写速度の設定情報がある。なお、連写速度を設定する場合、例えば、上述した撮影モードの設定情報（図８参照）から連写撮影を選択する。
【００９６】
連写撮影が選択された場合、図１９に示すように、「８ｆｐｓ（frames per second）」、「１１ｆｐｓ」、「１５ｆｐｓ」などの選択候補からなる連写速度の選択候補一覧が表示される。操作ボタン２６またはタッチパネル２７を操作することにより、この選択候補一覧から連写速度の設定情報が選択される。これにより、選択された連写速度で連写撮影が行われる。
【００９７】
シャッタ方式の設定情報として「ＭＳ」が選択された場合、連写速度では、設定情報として最も低速な「８ｆｐｓ」だけが選択可能であり、「１１ｆｐｓ」、「１５ｆｐｓ」のいずれも選択不可能である。図２０Ａは、シャッタ方式と、連写速度とに設定情報が設定された後、すなわち設定済みの状態であり、シャッタ方式が「ＥＳ」、連写速度が「８ｆｐｓ」に設定されている（二重枠線で囲まれた表示）。
【００９８】
主制御部４１は、図２０Ａに示すシャッタ方式と、連写速度とが設定済みの状態から、操作ボタン２６またはタッチパネル２７の操作によりシャッタ方式の設定情報が、「ＭＳ」に変更された場合、上述したようにシャッタ方式が「ＭＳ」に対して排他的に選択可能な連写速度の設定情報があり、「１１ｆｐｓ」、「１５ｆｐｓ」のいずれも選択不可能である。よって、この場合、図２０Ｂに示す例のように、主制御部４１は、連写速度の設定情報を「ＭＳ」に応じた設定情報、すなわち連写速度の設定情報を「８ｆｐｓ」に変更する設定変更部として機能する。
【００９９】
設定変更部として機能した主制御部４１が、連写速度の設定情報を、シャッタ方式の設定情報に応じた設定情報に変更した場合、上記第１実施形態と同様に、変更前および変更後におけるシャッタ方式の設定情報と、連写速度の設定情報とを、設定情報記憶部４８に記憶させる。
【０１００】
さらに、主制御部４１は、連写速度の設定情報をシャッタ方式の設定情報に応じた設定情報に変更し、かつ設定メニューＭの設定画面が背面表示部１４に表示されている場合、上記第１実施形態と同様に、特定の設定操作が行われたか否かを判定する。特定の設定操作が行われた場合に、主制御部４１は、シャッタ方式の設定情報と、連写速度の設定情報とを、変更前の設定情報に戻す（図２０Ａに示す状態）。
【０１０１】
また、上記各実施形態では、判定部としての主制御部４１は、長押し操作がされた場合、特定の設定操作が行われたと判定する例を上げているが、特定の設定操作としては、これに限らず、背面表示部１４に、変更後の第２設定項目およびその設定情報が特殊表示形態（図１３参照）で表示され、特殊表示形態で表示された第２設定項目およびその設定情報に対して設定操作が行われた場合、特定の設定操作が行われたと判定してもよい。
【０１０２】
上記各実施形態では、設定メニューＭの設定画面が背面表示部１４に表示されている場合、特定の設定操作が行われたか否かを判定する例を上げているが、これに限らず、判定部としての主制御部は、選択候補一覧の設定画面が表示されている場合、特定の設定操作が行われたか否かを判定してもよい。また、図２１に示すように、設定メニューＭの設定画面と選択候補一覧の設定画面の表示とが交互に繰り返される場合、この繰り返し回数をカウントし、繰り返し回数が所定以上の場合、特定の設定操作が行われたと判定してもよい。なお、図２１に示す例では、ダイナミックレンジ設定の設定情報が、主制御部４１によって変更後の第２設定項目の設定情報であり、設定メニューＭの設定画面と、選択候補一覧の設定画面とのいずれにおいてもダイナミックレンジ設定の設定情報の選択が不可能となっている。
【０１０３】
あるいは、デジタルカメラ１１の操作部として、操作ボタン２６またはタッチパネル２７による通常の設定操作とは異なる操作で用いる特殊操作部、例えば露出補正ダイヤル２１、シャッタスピードダイヤル２２などを有しており、主制御部４１は、背面表示部１４に、設定メニューＭの設定画面が表示され、かつ特殊操作部による操作が行われた場合、特定の設定操作が行われたと判定してもよい。
【０１０４】
上記各実施形態では、撮像素子３４は、ＣＭＯＳ型イメージセンサであるが、ＣＣＤ型イメージセンサであってもよい。また、上記各実施形態では、ファインダ部をハイブリッドビューファインダとしているが、電子ビューファインダとしてもよい。また、上記各実施形態では、内蔵型のフラッシュ発光部を用いているが、外付けのフラッシュ装置を用いてもよい。
【０１０５】
なお、本発明は、デジタルカメラ以外に、ビデオカメラ等の撮影装置に適用可能である。
【符号の説明】
【０１０６】
１１  デジタルカメラ
１２  カメラ本体
１３  レンズ鏡筒
１４  背面表示部
１５  ファインダ部
１５ａ  ファインダ対物窓
１５ｂ  ファインダ接眼部
１６  撮像光学系
１７  フォーカスリング
１８  絞りリング
１９  電源レバー
２０  レリーズスイッチ
２１  露出補正ダイヤル
２２  シャッタスピードダイヤル
２３  ファインダ切替レバー
２４  フラッシュ発光部
２６  操作ボタン
２７  タッチパネル
２８  ファインダ内表示部
３１  フォーカスレンズ
３２  絞りユニット
３２ａ  絞り羽根
３３  シャッタユニット
３４  撮像素子
３６，３７，３８  モータ
３９  モータドライバ
４１  主制御部
４２  バス
４４  メモリ制御部
４５  デジタル信号処理部
４６  メディア制御部
４７  表示制御部
４８  設定情報記憶部
４９  メモリ
５１  記録メディア
【図１】
0006553821.tif 000002
【図２】
0006553821.tif 000003
【図３】
0006553821.tif 000004
【図４】
0006553821.tif 000005
【図５】
0006553821.tif 000006
【図６】
0006553821.tif 000007
【図７】
0006553821.tif 000008
【図８】
0006553821.tif 000009
【図９】
0006553821.tif 000010
【図１０】
0006553821.tif 000011
【図１１Ａ】
0006553821.tif 000012
【図１１Ｂ】
0006553821.tif 000013
【図１２】
0006553821.tif 000014
【図１３】
0006553821.tif 000015
【図１４】
0006553821.tif 000016
【図１５】
0006553821.tif 000017
【図１６Ａ】
0006553821.tif 000018
【図１６Ｂ】
0006553821.tif 000019
【図１７】
0006553821.tif 000020
【図１８Ａ】
0006553821.tif 000021
【図１８Ｂ】
0006553821.tif 000022
【図１９】
0006553821.tif 000023
【図２０Ａ】
0006553821.tif 000024
【図２０Ｂ】
0006553821.tif 000025
【図２１】
0006553821.tif 000026